(57)【特許請求の範囲】
【請求項１】
板状のフレキシブル基板を保持するプラグと、前記プラグと嵌合するソケットと、を有する電気コネクタであって、
前記ソケットは、
前記プラグと嵌合する第１の嵌合凹部と、前記第１の嵌合凹部に突出すると共に前記フレキシブル基板に対向する対向面を有する突出部と、を備える絶縁性の第１のハウジングと、
前記対向面より前記フレキシブル基板との対向方向に突出して前記フレキシブル基板の導電部に接続する接続部と、前記第１のハウシングより外部に突出する端子部と、を備え、前記第１のハウジングに保持される導電性のコンタクトと、
を有し、
前記突出部は、
前記対向面の前記第１の嵌合凹部の第１の開放端部側に前記対向面より前記対向方向に突出するリブを備える、
ことを特徴とする電気コネクタ。
【請求項２】
前記プラグは、
前記突出部と嵌合すると共に前記対向面と対向する位置に前記フレキシブル基板を露出させる第２の嵌合凹部と、前記フレキシブル基板の前記対向面と対向する対向部の幅方向の両端部を支持する支持部と、を備える絶縁性の第２のハウジングを有し、
前記リブは、
前記突出部の前記幅方向の中央部に設けられる、
ことを特徴とする請求項１記載の電気コネクタ。
【請求項３】
前記対向面は、
前記突出部の突出方向の先端部において前記突出方向に向けて前記突出部の上下方向の幅が徐々に小さくなるように傾斜する傾斜面を備え、
前記リブは、
前記傾斜面に設けられる、
ことを特徴とする請求項１又は請求項２記載の電気コネクタ。
【請求項４】
前記リブは、
前記接続部よりも前記第１の開放端部側に設けられる、
ことを特徴とする請求項１から請求項３のいずれかに記載の電気コネクタ。
【請求項５】
前記プラグは、
前記突出部と嵌合すると共に前記対向面と対向する位置に前記フレキシブル基板を露出させる第２の嵌合凹部と、前記第２の嵌合凹部の第２の開放端部側に設けられて前記リブと係合する係合溝と、を備える絶縁性の第２のハウジングを有する、
ことを特徴とする請求項１記載の電気コネクタ。
【請求項６】
前記第２のハウジングは、
前記第２の嵌合凹部に設けられると共に前記フレキシブル基板の前記第２の開放端部への移動を規制する規制部を備え、
前記係合溝は、
前記規制部を切り欠いて設けられる、
ことを特徴とする請求項５記載の電気コネクタ。
【発明の詳細な説明】
【技術分野】
【０００１】
本発明は、板状のフレキシブル基板を保持するプラグと、プラグと嵌合するソケットと、を有する電気コネクタに関する。
【背景技術】
【０００２】
従来、ＦＰＣ（Flexible printed circuits）又はＦＦＣ（Flexible Flat Cable）等の板状のフレキシブル基板を回路基板に接続する電気コネクタが知られている。このような電気コネクタとしては、フレキシブル基板と導電性コンタクトとの接続部に異物等が混入して接続不良とならないように、フレキシブル基板を保持したプラグを、導電性コンタクを有するソケットに嵌合することにより、フレキシブル基板の導電部と導電性コンタクトとを接続する構成を有するものがある。特に、車両に搭載される電気コネクタは、このような構成を有することが多い。
【０００３】
このような状況において、特許文献１は、ＦＦＣを挿入固定したＦＦＣ用挿入ガイドを、ＦＦＣ用コネクタに挿入して、ＦＦＣとＦＦＣ用コネクタとを電気的に接続させる電気コネクタを開示している。
【先行技術文献】
【特許文献】
【０００４】
【特許文献１】特開２００６−８５９８９号公報
【発明の概要】
【発明が解決しようとする課題】
【０００５】
しかしながら、特許文献１においては、種々の要因によってＦＦＣに反りが発生した場合に、ＦＦＣを挿入固定したＦＦＣ用挿入ガイドをＦＦＣ用コネクタに挿入して嵌合する際に、反ったＦＦＣがＦＦＣ用コネクタの嵌合面に摺接して挿入力が増大し、ＦＦＣの摩耗が促進されてしまうという課題を有する。
【０００６】
本発明の目的は、フレキシブル基板に反りが発生した場合であっても、プラグをソケットに挿入して嵌合する際の挿入力の増大を抑制することができる電気コネクタを提供することである。
【課題を解決するための手段】
【０００７】
本発明に係る電気コネクタは、板状のフレキシブル基板を保持するプラグと、前記プラグと嵌合するソケットと、を有する電気コネクタであって、前記ソケットは、前記プラグと嵌合する第１の嵌合凹部と、前記第１の嵌合凹部に突出すると共に前記フレキシブル基板に対向する対向面を有する突出部と、を備える絶縁性の第１のハウジングと、前記対向面より前記フレキシブル基板との対向方向に突出して前記フレキシブル基板の導電部に接続する接続部と、前記第１のハウシングより外部に突出する端子部と、を備え、前記第１のハウジングに保持される導電性のコンタクトと、を有し、前記突出部は、前記対向面の前記第１の嵌合凹部の第１の開放端部側に前記対向面より前記対向方向に突出するリブを備える。
【０００８】
プラグとソケットとを嵌合する際にリブによってフレキシブル基板を対向方向に押圧することにより、フレキシブル基板に反りを生じた場合であっても、フレキシブル基板と突出部の対向面とが摺接することに伴うプラグをソケットに挿入して嵌合する際の挿入圧を低減する。
【発明の効果】
【０００９】
本発明によれば、フレキシブル基板に反りが発生した場合であっても、プラグをソケットに挿入して嵌合する際の挿入力の増大を抑制することができる。
【図面の簡単な説明】
【００１０】
【図１】本発明の実施形態に係る電気コネクタの斜視図である。
【図２】図１のＡ−Ａ断面図である。
【図３】本発明の実施形態に係る電気コネクタのソケットの斜視図である。
【図４】本発明の実施形態に係る電気コネクタのソケットの正面図である。
【図５】図４のＢ−Ｂ断面図である。
【図６】図４のＣ−Ｃ断面図である。
【図７】本発明の実施形態に係る電気コネクタのプラグの斜視図である。
【図８】本発明の実施形態に係る電気コネクタのプラグの平面図である。
【図９】本発明の実施形態に係る電気コネクタのプラグの背面図である。
【図１０】本発明の実施形態に係る電気コネクタのプラグの正面図である。
【図１１】図８のＤ−Ｄ断面図である。
【図１２】図１０のＥ−Ｅ断面図である。
【図１３】本発明の実施形態に係る電気コネクタのプラグの一部の拡大断面図である。
【図１４】本発明の実施形態に係る電気コネクタに接続されるフレキシブル基板の斜視図である。
【図１５】本発明の実施形態に係る電気コネクタのソケットとプラグとの嵌合開始時及び嵌合中の状態を示す図である。
【発明を実施するための形態】
【００１１】
以下、図面を適宜参照して、本発明の実施形態に係る電気コネクタにつき、詳細に説明する。図中、ｘ軸、ｙ軸及びｚ軸は、３軸直交座標系を成し、ｙ軸の正方向を前方向、ｙ軸の負方向を後ろ方向、ｘ軸の正方向を左方向、ｘ軸の負方向を右方向、ｚ軸の正方向を上方向、及びｚ軸の負方向を下方向として説明する。
【００１２】
＜電気コネクタの構成＞
本発明の実施形態に係る電気コネクタ１の構成につき、図１から図１４を参照しながら、以下に詳細に説明する。
【００１３】
電気コネクタ１は、板状のフレキシブル基板としてのＦＦＣ１００を保持するプラグ６と、プラグ６と嵌合するソケット２と、を有する。なお、プラグ６は、ＦＦＣ１００を保持する場合に限らず、ＦＰＣ等のＦＦＣ１００以外の板状のフレキシブル基板を保持してもよい。
【００１４】
ソケット２は、絶縁ハウジング３と、導電性コンタクト４と、導電性コンタクト５と、を有している。
【００１５】
絶縁ハウジング３は、嵌合凹部３１と、突出部３２と、奥壁部３３と、底壁部３４と、天壁部３５と、ロック部３６と、ガイド部３８と、を備え、絶縁性を有する材料によって形成されている。
【００１６】
嵌合凹部３１は、前方が外部に開放されており、後述のプラグ６と嵌合可能な大きさに凹設されている。
【００１７】
突出部３２は、幅方向である左右方向に間隔を設けて一対設けられており、嵌合凹部３１を構成している奥壁部３３より前方に突出することにより嵌合凹部３１に突出している。突出部３２は、ソケット２とプラグ６とが嵌合した際にプラグ６に保持されたＦＦＣ１００に対向する対向面３２１及び対向面３２２を有している。
【００１８】
突出部３２は、対向面３２１の嵌合凹部３１の開放端部３１ａ側に、対向面３２１よりＦＦＣ１００との対向方向（上方向）に突出するリブ３２３を備えている。突出部３２は、対向面３２２の開放端部３１ａ側に、対向面３２２よりＦＦＣ１００との対向方向（下方向）に突出するリブ３２４を備えている。
【００１９】
対向面３２１は、突出部３２の上面であり、突出部３２の突出方向である前方の前端部において前方に向けて突出部３２の上下方向の幅が徐々に小さくなるように傾斜する傾斜面３２５を備えている。
【００２０】
対向面３２２は、突出部３２の下面であり、突出部３２の前端部において前方に向けて突出部３２の上下方向の幅が徐々に小さくなるように傾斜する傾斜面３２６を備えている。
【００２１】
リブ３２３は、突出部３２の左右方向の中央部に設けられている。リブ３２３は、対向面３２１の前端から後方に延設されていることにより、傾斜面３２５にも設けられている。リブ３２３は、導電性コンタクト４の接続部４１よりも開放端部３１ａ側に設けられている。リブ３２３は、導電性コンタクト４の接続部４１の間に設けられている。リブ３２３は、ここでは一対の突出部３２の各々に３つ設ける場合を例示する。
【００２２】
リブ３２４は、突出部３２の左右方向の中央部に設けられている。リブ３２４は、対向面３２２の前端から後方に延設されていることにより、傾斜面３２６にも設けられている。リブ３２４は、導電性コンタクト５の接続部５１よりも開放端部３１ａ側に設けられている。リブ３２４は、導電性コンタクト５の接続部５１の間に設けられている。リブ３２４は、ここでは一対の突出部３２の各々に３つ設ける場合を例示する。
【００２３】
ロック部３６は、後述のプラグ６のロック片部７７と係脱自在に係合している。
【００２４】
ガイド部３８は、嵌合凹部３１の正面視においてロック部３６を挟んで一対設けられており、嵌合凹部３１を構成している天壁部３５に形成されている。
【００２５】
導電性コンタクト４は、導電性を有する材料によって形成されている。導電性コンタクト４は、絶縁ハウジング３に保持及び固定されており、接続部４１と、端子部４２と、を備えている。
【００２６】
接続部４１は、対向面３２１よりＦＦＣ１００との対向方向である上方向に移動可能に突出して、ＦＦＣ１００の導電部１０２に接続する。接続部４１は、ＦＦＣ１００と接続していない状態において、リブ３２３よりも上方に突出している。
【００２７】
端子部４２は、絶縁性ハウシング３より外部に突出して左右方向に沿って間隔を有して配列していると共に、図示しない回路基板の導電部に半田付け等によって接続される。
【００２８】
導電性コンタクト５は、導電性を有する材料によって形成されている。導電性コンタクト５は、絶縁ハウジング３に保持及び固定されており、接続部５１と、端子部５２と、を備えている。
【００２９】
接続部５１は、対向面３２２よりＦＦＣ１００との対向方向である下方向に移動可能に突出して、ＦＦＣ１００の導電部１０２に接続する。接続部５１は、図４に示す正面視において接続部４１の間に配置されている。接続部５１は、ＦＦＣ１００と接続していない状態において、リブ３２４よりも下方に突出している。
【００３０】
端子部５２は、絶縁性ハウシング３より外部に突出して左右方向に沿って間隔を有して配列していると共に、図示しない回路基板の導電部に半田付け等によって接続される。端子部５２は、図５に示すように端子部４２よりも前方において配列していると共に、図６に示すように端子部４２の間に配置されている。
【００３１】
プラグ６は、絶縁ハウジング７を有している。
【００３２】
絶縁ハウジング７は、嵌合凹部７１と、支持部７２ａと、支持部７２ｂと、支持部７２ｃと、支持部７２ｄと、支持部７２ｅと、支持部７２ｆと、支持部７２ｇと、支持部７２ｈと、規制部７３と、規制部７４と、仕切部７５と、挿入孔７６ｕと、挿入孔７６ｄと、ロック片部７７と、を備えており、絶縁性を有する材料によって形成されている。
【００３３】
嵌合凹部７１は、突出部３２と嵌合する。嵌合凹部７１は、挿入孔７６ｕに挿入されているＦＦＣ１００の対向部１０３及び対向部１０４（図１４参照）を天壁部７８の下方に露出させていると共に、挿入孔７６ｄに挿入されているＦＦＣ１００の対向部１０３及び対向部１０４を底壁部７９の上方に露出させている。
【００３４】
嵌合凹部７１は、ソケット２とプラグ６とが嵌合した際に、天壁部７８の下方に露出させているＦＦＣ１００の対向部１０３を、図４において右側の突出部３２の対向面３２１に対向させると共に、天壁部７８の下方に露出させているＦＦＣ１００の対向部１０４を、図４において左側の突出部３２の対向面３２１に対向させる。また、嵌合凹部７１は、ソケット２とプラグ６とが嵌合した際に、底壁部７９の上方に露出させているＦＦＣ１００の対向部１０３を、図４において右側の突出部３２の対向面３２２に対向させると共に、底壁部７９の上方に露出させているＦＦＣ１００の対向部１０４を、図４において左側の突出部３２の対向面３２１に対向させる。
【００３５】
支持部７２ａは、図１１に示すように、側壁部８０に設けられており、上方の挿入孔７６ｕ及び嵌合凹部７１に連通して、挿入孔７６ｕに挿入されているＦＦＣ１００の対向部１０３の左右方向の一方の端部１００ａ（図１４参照）を支持している。
【００３６】
支持部７２ｂは、仕切部７５に設けられており、上方の挿入孔７６ｕ及び嵌合凹部７１に連通して、挿入孔７６ｕに挿入されているＦＦＣ１００の対向部１０３の左右方向の他方の端部１００ｃを支持している。
【００３７】
支持部７２ｃは、仕切部７５に設けられており、上方の挿入孔７６ｕ及び嵌合凹部７１に連通して、挿入孔７６ｕに挿入されているＦＦＣ１００の対向部１０４の左右方向の一方の端部１００ｄを支持している。
【００３８】
支持部７２ｄは、側壁部８１に設けられており、上方の挿入孔７６ｕ及び嵌合凹部７１に連通して、挿入孔７６ｕに挿入されているＦＦＣ１００の対向部１０４の左右方向の他方の端部１００ｂを支持している。
【００３９】
支持部７２ｅは、側壁部８１に設けられており、下方の挿入孔７６ｄ及び嵌合凹部７１に連通して、挿入孔７６ｄに挿入されているＦＦＣ１００の対向部１０４の左右方向の一方の端部１００ｂを支持している。
【００４０】
支持部７２ｆは、仕切部７５に設けられており、下方の挿入孔７６ｄ及び嵌合凹部７１に連通して、挿入孔７６ｄに挿入されているＦＦＣ１００の対向部１０４の左右方向の他方の端部１００ｄを支持している。
【００４１】
支持部７２ｇは、仕切部７５に設けられており、下方の挿入孔７６ｄ及び嵌合凹部７１に連通して、挿入孔７６ｄに挿入されているＦＦＣ１００の対向部１０３の左右方向の一方の端部１００ｃを支持している。
【００４２】
支持部７２ｈは、側壁部８０に設けられており、下方の挿入孔７６ｄ及び嵌合凹部７１に連通して、挿入孔７６ｄに挿入されているＦＦＣ１００の対向部１０３の左右方向の他方の端部１００ａを支持している。
【００４３】
規制部７３は、嵌合凹部７１の側壁部８０と仕切部７５との間及び側壁部８１と仕切部７５との間において、左右方向に延設されていると共に、嵌合凹部７１の開放端部７１ａ側（図１２参照）に設けられてＦＦＣ１００の開放端部７１ａへの移動（後方への移動）を規制している。規制部７３には、規制部７３を切り欠いて形成された係合溝７３１が設けられている。係合溝７３１には、ソケット２とプラグ６とが嵌合した際に、リブ３２３が係合する。
【００４４】
規制部７４は、嵌合凹部７１の側壁部８０と仕切部７５との間及び側壁部８１と仕切部７５との間において、左右方向に延設されていると共に、ＦＦＣ１００の開放端部７１ａへの移動を規制している。規制部７４には、規制部７４を切り欠いて形成された係合溝７４１が設けられている。係合溝７４１には、ソケット２とプラグ６とが嵌合した際に、リブ３２４が係合する。
【００４５】
係合溝７３１は、図１３に示すように、正面視においてＦＦＣ１００の挿入孔７６ｕに対する挿入方向の先端部を露出させている。係合溝７４１は、正面視においてＦＦＣ１００の挿入孔７６ｄに対する挿入方向の先端部を露出させている。
【００４６】
仕切部７５は、嵌合凹部７１の左右方向の中央にもうけられて嵌合凹部７１を左右に二分している。仕切部７５は、ソケット２とプラグ６とが嵌合した際に、一対の突出部３２の間に配置される。
【００４７】
挿入孔７６ｕは、背面壁部８２を板厚方向に貫通する貫通孔であり、嵌合凹部７１、支持部７２ａ、支持部７２ｂ、支持部７２ｃ及び支持部７２ｄに連通している。挿入孔７６ｕには、ＦＦＣ１００が挿通されている。
【００４８】
挿入孔７６ｄは、背面壁部８２を板厚方向に貫通する貫通孔であり、嵌合凹部７１、支持部７２ｅ、支持部７２ｆ、支持部７２ｇ及び支持部７２ｈに連通している。挿入孔７６ｄには、ＦＦＣ１００が挿通されている。
【００４９】
ロック片部７７は、板厚方向に貫通する貫通孔である係合孔７７１を左右に間隔を有して一対備えている。係合孔７７１には、ロック部３６が係合する。
【００５０】
＜電気コネクタの製造方法＞
本発明の実施形態に係る電気コネクタ１の製造方法につき、図１５を更に参照しながら、以下に詳細に説明する。
【００５１】
絶縁ハウジング３に導電性コンタクト４及び導電性コンタクト５を一体成型によって固定したソケット２を予め生成すると共に、プラグ６を予め成型によって生成しておく。
【００５２】
まず、プラグ６の挿入孔７６ｕに対して、ＦＦＣ１００を前方から挿入し、ＦＦＣ１００の挿入孔７６ｕに対する挿入方向の先端が規制部７３に当接するまでＦＦＣ１００を後方に向けて挿入する。これに伴って、ＦＦＣ１００の端部１００ａが支持部７２ａに支持され、ＦＦＣ１００の端部１００ｂが支持部７２ｄに支持され、ＦＦＣ１００の端部１００ｃが支持部７２ｂに支持されると共に、ＦＦＣ１００の端部１００ｄが支持部７２ｃに支持される。また、仕切部７５がＦＦＣ１００のスリット部１０１に挿入される。
【００５３】
また、プラグ６の挿入孔７６ｄに対して、ＦＦＣ１００を前方から挿入し、ＦＦＣ１００の挿入孔７６ｄに対する挿入方向の先端が規制部７４に当接するまでＦＦＣ１００を挿入する。これに伴って、ＦＦＣ１００の端部１００ａが支持部７２ｈに支持され、ＦＦＣ１００の端部１００ｂが支持部７２ｅに支持され、ＦＦＣ１００の端部１００ｃが支持部７２ｇに支持されると共に、ＦＦＣ１００の端部１００ｄが支持部７２ｆに支持される。また、仕切部７５がＦＦＣ１００のスリット部１０１に挿入される。
【００５４】
次に、プラグ６の嵌合凹部７１に対して、ソケット２の突出部３２を嵌合させる。この際に、一対の突出部３２の間に仕切部７５を挿入することにより、嵌合凹部７１に対する突出部３２の嵌合を仕切部７５によってガイドすることができる。
【００５５】
ここで、プラグ６に保持されているＦＦＣ１００は、端部１００ａ、端部１００ｂ、端部１００ｃ及び端部１００ｄが支持部７２ａから支持部７２ｈによって支持されているものの、端部１００ａと端部１００ｃとの間及び端部１００ｂと端部１００ｄとの間は支持されていない。これにより、挿入孔７６ｕに挿入されているＦＦＣ１００の端部１００ａと端部１００ｃとの間及び端部１００ｂと端部１００ｄとの間は、下方に反り易いと共に、挿入孔７６ｄに挿入されているＦＦＣ１００の端部１００ａと端部１００ｃとの間及び端部１００ｂと端部１００ｄとの間は、上方に反り易い。
【００５６】
ＦＦＣ１００に反りを生じた場合には、図１５（ａ）に示すように、挿入孔７６ｕに挿入されたＦＦＣ１００は天壁部７８から下方に浮き上がった状態になると共に、挿入孔７６ｄに挿入されたＦＦＣ１００は底壁部７９から上方に浮き上がった状態になる。
【００５７】
図１５（ａ）に示す状態になった場合には、ソケット２とプラグ６とを嵌合する際に、図１５（ｂ）に示すように、リブ３２３が挿入孔７６ｕに挿通されているＦＦＣ１００を天壁部７８に当接させる上方に押圧すると共に、リブ３２４が挿入孔７６ｄに挿通されているＦＦＣ１００を底壁部７９に当接させる下方に押圧する。
【００５８】
これにより、ＦＦＣ１００に反りが発生した場合であっても、ＦＦＣ１００の反りを矯正することができるため、ＦＦＣ１００の反った部分が突出部３２の対向面３２１及び対向面３２２に摺接しないようにすることができる。また、ＦＦＣ１００の反った部分とリブ３２３及びリブ３２４とを摺接させながら、ソケット２とプラグ６とを嵌合することにより、ＦＦＣ１００の反った部分と対向面３２１及び対向面３２２とが摺接する場合に比べて、摺接する面積を少なくすることができるため、プラグ６をソケット２に挿入して嵌合する際の挿入力の増大を抑制することができる。
【００５９】
この際に、リブ３２３及びリブ３２４の各々を突出部３２の左右方向の中央に設けることにより、左右方向の全体に設ける場合に比べて、リブ３２３及びリブ３２４が絶縁ハウジング７に摺接することに伴って生じる、プラグ６をソケット２に挿入して嵌合する際の挿入力の増大を抑制することができる。
【００６０】
また、プラグ６とソケット２との嵌合を開始する際において、リブ３２３は係合溝７３１に係合すると共に、リブ３２４は係合溝７４１に係合することにより、プラグ６をソケット２に挿入して嵌合する際の挿入力の増大を更に抑制することができる。
【００６１】
また、リブ３２３を係合溝７３１に係合させることにより、プラグ６をソケット２に挿入して嵌合する際の挿入力の増大を抑制することができるため、リブ３２３の上方への突出量を大きくすることができることにより、反りを生じたＦＦＣ１００をより上方に押圧することができ、プラグ６をソケット２に挿入して嵌合する際の挿入力の増大を確実に抑制することができる。同様に、リブ３２４を係合溝７４１に係合させることにより、プラグ６をソケット２に挿入して嵌合する際の挿入力の増大を抑制することができるため、リブ３２４の下方への突出量を大きくすることができることにより、反りを生じたＦＦＣ１００をより下方に押圧することができ、プラグ６をソケット２に挿入して嵌合する際の挿入力の増大を確実に抑制することができる。
【００６２】
また、突出部３２に傾斜面３２５及び傾斜面３２６を設け、傾斜面３２５にリブ３２３を設けると共に傾斜面３２６にリブ３２４を設けることにより、プラグ６とソケット２との嵌合を開始する際の挿入力の増大を抑制することができる。
【００６３】
また、接続部４１よりも開放端部３１ａ側にリブ３２３を設けると共に、接続部５１よりも開放端部３１ａ側にリブ３２４を設けることにより、反りを生じたＦＦＣ１００の導電部１０２が接続部４１及び接続部５１に接続する前に、ＦＦＣ１００の反りを矯正することができるため、ＦＦＣ１００の導電部１０２と接続部４１及び接続部５１との接続時に接続部４１及び接続部５１に対して大きな負荷が加わることを防ぐことができる。
【００６４】
更に、規制部７３を切り欠いて係合溝７３１を設けると共に、規制部７４を切り欠いて係合溝７４１を設けることにより、係合溝７３１及び係合溝７４１を形成するためのみの部分を絶縁ハウジング７に設ける必要をなくすることができ、プラグ６を小型化することができる。
【００６５】
そして、ソケット２のロック部３６がプラグ６のロック片部７７に係合することにより、電気コネクタ１は図１及び図２に示す完成した状態になる。
【００６６】
因みに、プラグ６にＦＦＣ１００の反りを矯正するための構成を設ける場合には、ＦＦＣ１００の反りを矯正する構成を、ソケット２とプラグ６とを嵌合する際にソケット２の導電性コンタクト４及び導電性コンタクト５が摺動するプラグ６の嵌合凹部７１に設ける必要があるため困難である。
【００６７】
このように、本実施形態によれば、ＦＦＣ１００に対向する対向面３２１の開放端部３１ａ側に対向面３２１より上方に突出するリブ３２３を備えると共に、ＦＦＣ１００に対向する対向面３２２の開放端部３１ａ側に対向面３２２より下方に突出するリブ３２４を備える突出部３２を設けることにより、ＦＦＣ１００に反りが発生した場合であっても、プラグ６をソケット２に挿入して嵌合する際の挿入力の増大を抑制することができる。
【００６８】
本発明は、部材の種類、配置、個数等は前述の実施形態に限定されるものではなく、その構成要素を同等の作用効果を奏するものに適宜置換する等、発明の要旨を逸脱しない範囲で適宜変更可能であることはもちろんである。
【００６９】
具体的には、上記実施形態において、リブ３２３及びリブ３２４の各々を突出部３２の左右方向の中央に設けたが、これに限らず、リブを突出部３２の左右方向の全体に設けてもよいし、リブを突出部の左右方向の両端部又は一端部に設けてもよい。
【００７０】
また、上記実施形態において、ソケット２に一対の突出部３２を設けたが、これに限らず、１つ又は３つ以上の突出部３２を設けることができる。
【００７１】
また、上記実施形態において、プラグ６にＦＦＣ１００を上下に２つ保持したが、これに限らず、１つのＦＦＣ１００を保持してもよい。
【００７２】
また、上記実施形態において、リブ３２３及びリブ３２４を突出部３２の前端から後方に延設したが、これに限らず、リブを突出部の開放端部３１ａ側にのみ設けてもよい。
【産業上の利用可能性】
【００７３】
本発明に係る電気コネクタは、フレキシブル基板に反りが発生した場合であっても、プラグをソケットに挿入して嵌合する際の挿入力の増大を抑制するのに好適である。
【符号の説明】
【００７４】
１  電気コネクタ
２  ソケット
３  絶縁ハウジング
４  導電性コンタクト
５  導電性コンタクト
６  プラグ
７  絶縁ハウジング
３１  嵌合凹部
３１ａ  開放端部
３２  突出部
３３  奥壁部
３４  底壁部
３５  天壁部
３６  ロック部
３８  ガイド部
４１  接続部
４２  端子部
５１  接続部
５２  端子部
７１  嵌合凹部
７２ａ  支持部
７２ｂ  支持部
７２ｃ  支持部
７２ｄ  支持部
７２ｅ  支持部
７２ｆ  支持部
７２ｇ  支持部
７２ｈ  支持部
７３  規制部
７４  規制部
７５  仕切部
７６ｄ  挿入孔
７６ｕ  挿入孔
７７  ロック片部
７８  天壁部
７９  底壁部
８０  側壁部
８１  側壁部
８２  背面壁部
１００  ＦＦＣ
１００ａ  端部
１００ｂ  端部
１００ｃ  端部
１００ｄ  端部
１０１  スリット部
１０２  導電部
１０３  対向部
１０４  対向部
３２１  対向面
３２２  対向面
３２３  リブ
３２４  リブ
３２５  傾斜面
３２６  傾斜面
７３１  係合溝
７４１  係合溝
７７１  係合孔
【要約】
【課題】フレキシブル基板に反りが発生した場合であっても、プラグをソケットに挿入して嵌合する際の挿入力の増大を抑制すること。
【解決手段】電気コネクタ１は、ＦＦＣ１００を保持するプラグ６と、プラグ６と嵌合するソケット２と、を有する。ソケット２は、プラグ６と嵌合する嵌合凹部３１と、嵌合凹部３１に突出すると共にＦＦＣ１００に対向する対向面３２１を有する突出部３２と、を備える絶縁ハウジング３と、対向面３２１よりＦＦＣ１００との対向方向に突出してＦＦＣ１００の導電部１０２に接続する接続部４１と、絶縁性ハウシング３より外部に突出する端子部４２と、を備え、絶縁ハウジング３に保持される導電性コンタクト４と、を有する。突出部３２は、対向面３２１の嵌合凹部３１の開放端部３１ａ側に対向面３２１より対向方向に突出するリブ３２３を備える。
【選択図】図３【図１】
0006981523.tif 000002
【図２】
0006981523.tif 000003
【図３】
0006981523.tif 000004
【図４】
0006981523.tif 000005
【図５】
0006981523.tif 000006
【図６】
0006981523.tif 000007
【図７】
0006981523.tif 000008
【図８】
0006981523.tif 000009
【図９】
0006981523.tif 000010
【図１０】
0006981523.tif 000011
【図１１】
0006981523.tif 000012
【図１２】
0006981523.tif 000013
【図１３】
0006981523.tif 000014
【図１４】
0006981523.tif 000015
【図１５】
0006981523.tif 000016